(57)【特許請求の範囲】
【請求項１】
複数のフェアリング片を分離可能に互いに結合して構成され、内部にペイロードを収納する収納空間を有し、
前記フェアリング片は、複数枚のハニカムコアを接合したものを基材とするハニカムサンドイッチパネルにより構成され、
前記ハニカムコアには、当該ハニカムコアを構成する複数の中空セル同士を互いに連通する連通部が設けられているとともに、少なくとも前記フェアリング片の内面となる位置に、当該ハニカムコアの内部に連通する開口部が設けられており、
前記開口部には、前記ハニカムコアの内部から微小粒子が前記収納空間に噴出することを妨げる防塵フィルタが設けられていることを特徴とする、
ペイロードフェアリング。
【請求項２】
前記防塵フィルタは、接着剤、締結部材または面ファスナにより前記開口部に固定されていることを特徴とする、請求項１に記載のペイロードフェアリング。
【請求項３】
前記防塵フィルタは、水溶性繊維材料で構成されていることを特徴とする、
請求項１または２に記載のペイロードフェアリング。
【請求項４】
前記開口部は、前記ハニカムコアの内部に水を導入するか、または、水の導入に伴って前記ハニカムコアの内部の空気を排出する、浸水排気用開口部であることを特徴とする、
請求項１から３のいずれか１項に記載のペイロードフェアリング。
【請求項５】
前記浸水排気用開口部は、前記ハニカムコアにおける前記フェアリング片の周方向の端部となる位置、もしくは、前記ハニカムコアにおいて、前記フェアリング片の内側であって周方向の中央部に相当する位置、に設けられていることを特徴とする、
請求項４に記載のペイロードフェアリング。
【発明の詳細な説明】
【技術分野】
【０００１】
本発明は、打上げロケットに設けられ、内部に人工衛星等のペイロードを収納するペイロードフェアリングに関する。
【背景技術】
【０００２】
ペイロードフェアリングは、通常、打上げロケットの先端部（頭部）に設けられ、その内部に人工衛星等のペイロードを収納している。ペイロードフェアリングは、内部のペイロードをさまざまな外的影響（例えば打上げ時の大音響または振動、あるいは、大気中飛行時の摩擦熱等）から保護する役割を有している。ペイロードが特に人工衛星であれば、ペイロードフェアリングは衛星フェアリングとも称される。
【０００３】
ペイロードが人工衛星である場合を例に挙げれば、人工衛星は、衛星フェアリング内に収納された状態で打ち上げられ、打上げロケットにより目的の高度および軌道まで移送される。この移送の途中で人工衛星が十分な高度まで達すれば、衛星フェアリングは、通常、２片のフェアリング片に開頭分離してロケットの頭部から切り離される。切り離されたフェアリング片は、地表の安全な区域、例えば海上に落下する。
【０００４】
ペイロードフェアリングには、内部のペイロードを外的影響から保護する耐久性が求められるだけでなく、ロケットの打上げ可能重量に占めるペイロードフェアリングの重量をできるだけ小さくすること（軽量化）も求められる。耐久性と軽量化とを両立する観点から、例えば、特許文献１に示すように、ペイロードフェアリングには、基材にハニカムコアを用いたサンドイッチパネル（ハニカムサンドイッチパネル）が採用されることが多い。
【０００５】
各フェアリング片は、１枚または複数枚のハニカムサンドイッチパネルで構成されている。また、ハニカムサンドイッチパネルは、一般的には、複数のハニカムコアを非透水性の接着剤で接合し、さらに表層材を両面に接合して製造される。ハニカムコアは、複数の中空セルが連接した構造を有しているので、非透水性の接着剤で接合されたハニカムコア自体も、中空セルが連接された構造となっている。
【０００６】
前記の通り、ペイロードフェアリングは複数のフェアリング片に分離可能であり、各フェアリング片は、１枚または複数枚のハニカムサンドイッチパネルで構成されている。ここで、ハニカムコアを構成する複数の中空セルは、互いに連接しているものの、個々の中空セル同士の間は、通常は連通していない。そのため、フェアリング片の内部（すなわちハニカムコアの内部）では、多数の連接した中空セルによって空気が保持される。したがって、フェアリング片が海上に落下して着水した後には、基本的には水上に浮遊することになる。
【０００７】
浮遊するフェアリング片は、船舶の航行に影響を及ぼすことが懸念されるため、現状では、例えば、回収船により回収される。ところが、回収船による回収は高コストになる上に、天候が悪ければ回収が困難になることもある。
【０００８】
そこで、例えば、非特許文献１の第２〜３ページには、分離したフェアリング片を海中に水没させるために、ハニカムコアを構成する中空セルにスロットを設ける構成が提案されている。この構成によれば、スロットによってハニカムコア内に海水が浸入し、またスロットによってハニカムコア内部の空気が放出される。そのため、浮遊するフェアリング片を水没させて、船舶の航行への影響を抑制することが可能となる。
【先行技術文献】
【特許文献】
【０００９】
【特許文献１】特開２０１０−１０５４５５号公報
【非特許文献】
【００１０】
【非特許文献１】Seiji NISHIO, Naruhiko CHIKU, Makihito OZAKI, Yoichi HORIE, Yoshihiko KOMADA, Atsushi HIRANO, Takayuki IMOTO and Kyoichi UI, "Preliminary Design of the payload fairing for the Epsilon Launch Vehicle", The 28th International Symposium on Space Technology and Science (28th ISTS), June 5 to 12, 2011, ID: 2011-g-05
【発明の概要】
【発明が解決しようとする課題】
【００１１】
前記のように、中空セルにスロット等の連通部を設ける構成は、フェアリング片（ハニカムサンドイッチパネル）の内部構造である多数の中空セルに対して海水を導入する観点から非常に有効である。さらに、このような構成を有するフェアリング片をより効率的に製造することも求められる。
【００１２】
本発明はこのような課題を解決するためになされたものであって、中空セルにスロット等の連通部を設けたハニカムコアを用いたフェアリング片において、より効率的な製造を可能にすることを目的とする。
【課題を解決するための手段】
【００１３】
本発明に係るペイロードフェアリングは、前記の課題を解決するために、複数のフェアリング片を分離可能に互いに結合して構成され、内部にペイロードを収納する収納空間を有し、前記フェアリング片は、複数枚のハニカムコアを接合したものを基材とするハニカムサンドイッチパネルにより構成され、前記ハニカムコアには、当該ハニカムコアを構成する複数の中空セル同士を互いに連通する連通部が設けられているとともに、少なくとも前記フェアリング片の内面となる位置に、当該ハニカムコアの内部に連通する開口部が設けられており、前記開口部には、前記ハニカムコアの内部から微小粒子が前記収納空間に噴出することを妨げる防塵フィルタが設けられている構成である。
【００１４】
前記構成によれば、ペイロードフェアリングが打ち上げられて低圧環境下に曝されたときに、ペイロードフェアリングの内面に設けられた開口部から、膨張した空気とともに塵埃または切粉等の微小粒子が収納空間に噴出して、収納空間内でコンタミ源となるおそれを、防塵フィルタによって妨げることができる。これにより、特別な加工方法等を採用することなくハニカムサンドイッチパネルおよびフェアリング片を製造することができる。それゆえ、フェアリング片をより効率的に製造することができるとともに、ペイロードフェアリングにおける収納空間内の清浄度を良好に保持することができる。
【００１５】
前記構成のペイロードフェアリングにおいては、前記防塵フィルタは、接着剤、締結部材または面ファスナにより前記開口部に固定されている構成であってもよい。
【００１６】
また、前記構成のペイロードフェアリングにおいては、前記防塵フィルタは、水溶性繊維材料で構成されている構成であってもよい。
【００１７】
また、前記構成のペイロードフェアリングにおいては、前記ハニカムコアの内部に水を導入するか、または、水の導入に伴って前記ハニカムコアの内部の空気を排出する、浸水排気用開口部である構成であってもよい。
【００１８】
また、前記構成のペイロードフェアリングにおいては、前記浸水排気用開口部は、前記ハニカムコアにおける前記フェアリング片の周方向の端部となる位置、もしくは、前記ハニカムコアにおいて、前記フェアリング片の内側であって周方向の中央部に相当する位置、に設けられている構成であってもよい。
【発明の効果】
【００１９】
本発明では、以上の構成により、中空セルにスロット等の連通部を設けたハニカムコアを用いたフェアリング片において、より効率的な製造を可能にする、という効果を奏する。
【図面の簡単な説明】
【００２０】
【図１】（Ａ）〜（Ｃ）は、本発明の実施の形態に係るペイロードフェアリングの一例である衛星フェアリングの代表的な構成例をそれぞれ示す模式的側面図である。
【図２】（Ａ）は、図１（Ａ）〜（Ｃ）に示す衛星フェアリングを構成するハニカムサンドイッチパネルを平板化した模式構成を示す模式的斜視図であり、（Ｂ）は、（Ａ）に示すハニカムサンドイッチパネルの内部構成および浸水排気用開口部の構成を説明する模式図である。
【図３】図１（Ａ）に示す衛星フェアリングを構成するフェアリング片の代表的な構成（１枚のハニカムサンドイッチパネルにより構成）と水没状況とを模式的に示す概略斜視図である。
【図４】図１（Ａ）に示す衛星フェアリングを構成するフェアリング片の代表的な構成（複数枚のハニカムサンドイッチパネルにより構成）と水没状況とを模式的に示す概略斜視図である。
【図５】（Ａ）は、図４に示すフェアリング片が備えるパネル結合フレームの概略構成を示す模式的断面図であり、（Ｂ）は、図４に示すパネル結合フレームの他の構成例を示す概略部分斜視図である。
【図６】は、ハニカムサンドイッチパネルを構成するハニカムコアおよび浸水排気用開口部の代表的な構成例を説明する斜視図である。
【図７】図３または図４に示す浸水排気用開口部に防塵フィルタを設ける構成の一例を説明する模式図である。
【図８】（Ａ）は、図７に示す浸水排気用開口部において防塵フィルタによる塵埃の噴出を抑制する作用を説明する模式図であり、（Ｂ）は、防塵フィルタを備えていない浸水排気用開口部から塵埃が噴出する状態を説明する模式図である。
【図９】図３または図４に示す浸水排気用開口部に防塵フィルタを設ける構成の他の例を説明する模式図である。
【図１０】図３または図４に示す浸水排気用開口部に防塵フィルタを設ける構成のさらに他の例を説明する模式図である。
【発明を実施するための形態】
【００２１】
以下、本発明の好ましい実施の形態を、図面を参照しながら説明する。なお、以下では全ての図を通じて同一又は相当する要素には同一の参照符号を付して、その重複する説明を省略する。
【００２２】
［ペイロードフェアリング］
本実施の形態では、本発明に係るペイロードフェアリングの代表的な一例として、衛星フェアリングを例示して本発明を具体的に説明する。まず、代表的な衛星フェアリングの構成について、図１（Ａ）〜（Ｃ）、並びに、図２（Ａ），（Ｂ）を参照して具体的に説明する。
【００２３】
図１（Ａ）、図１（Ｂ）または図１（Ｃ）に示すように、衛星フェアリング１０Ａ、１０Ｂまたは１０Ｃは、略円錐筒形状を有しており、図示しない打上げロケットの先頭部に取り付けられ、内部に収納空間を有する。この収納空間には、ペイロードである人工衛星４０Ａまたは４０Ｂ（図中点線で図示）が収納される。
【００２４】
図１（Ａ）に示す衛星フェアリング１０Ａは、前端から順にノーズキャップ部１１、ノーズコーン部１２、およびシリンダ部１３の三つの部位から構成されている。ノーズキャップ部１１は、衛星フェアリング１０Ａの前端に位置し、略半球状に形成される。ノーズコーン部１２は、ノーズキャップ部１１から見て後側に位置し、略円錐状に形成される。シリンダ部１３は、ノーズコーン部１２から見て後側に位置し、略筒状に形成される。
【００２５】
図１（Ｂ）に示す衛星フェアリング１０Ｂは、前端から順にノーズキャップ部１１、ノーズコーン部１２、シリンダ部１３およびリアコーン部１４を有する。ノーズキャップ部１１、ノーズコーン部１２およびシリンダ部１３の構成は衛星フェアリング１０Ａと同様であるが、リアコーン部１４は、シリンダ部１３から見て後側に位置し、シリンダ部１３よりも外径が小さくなった逆円錐台状に形成される。
【００２６】
図１（Ｃ）に示す衛星フェアリング１０Ｃは、前端から順にノーズキャップ部１１、ノーズコーン部１２、シリンダ部１３およびリアコーン部１５を有する。ノーズキャップ部１１、ノーズコーン部１２およびシリンダ部１３の構成は衛星フェアリング１０Ａまたは１０Ｂと同様である。リアコーン部１５は、衛星フェアリング１０Ｂのリアコーン部１４と同様に、シリンダ部１３から見て後側に位置するが、シリンダ部１３よりも外径が大きくなった円錐台状に形成される。
【００２７】
衛星フェアリング１０Ａ〜１０Ｃは、いずれも二つのフェアリング片１１０を分離可能に互いに結合することにより構成される。フェアリング片１１０は、衛星フェアリング１０Ａ〜１０Ｃを縦方向（長手方向）に略二分割する形状に構成され、これらフェアリング片１１０は図示しない分離機構により分離可能に結合されている。
【００２８】
衛星フェアリング１０Ａでは、一方のフェアリング片１１０ａは、ノーズキャップ部１１とノーズコーン部１２の縦半分とシリンダ部１３の縦半分で構成され、他方のフェアリング片１１０ｂは、ノーズコーン部１２の縦半分とシリンダ部１３の縦半分で構成される。衛星フェアリング１０Ｂでは、一方のフェアリング片１１０ａは、ノーズキャップ部１１とノーズコーン部１２の縦半分とシリンダ部１３の縦半分とリアコーン部１４の縦半分で構成され、他方のフェアリング片１１０ｂは、ノーズコーン部１２の縦半分とシリンダ部１３の縦半分とリアコーン部１４の縦半分で構成される。衛星フェアリング１０Ｃでは、一方のフェアリング片１１０ａは、ノーズキャップ部１１とノーズコーン部１２の縦半分とシリンダ部１３の縦半分とリアコーン部１５の縦半分で構成され、他方のフェアリング片１１０ｂは、ノーズコーン部１２の縦半分とシリンダ部１３の縦半分とリアコーン部１５の縦半分で構成される。
【００２９】
なお、図１（Ａ）〜図１（Ｃ）に示す衛星フェアリング１０Ａ〜１０Ｃでは、ノーズキャップ部１１は、一方のフェアリング片１１０ａに残る構成となっているが、衛星フェアリング１０Ａ〜１０Ｃの構成はこれに限定されず、ノーズキャップ部１１も縦半分に二分割され、他方のフェアリング片１１０ｂの一部を構成してもよい。
【００３０】
フェアリング片１１０（すなわち衛星フェアリング１０Ａ〜１０Ｃ）は、図２（Ａ）に模式的に示すようなハニカムサンドイッチパネル２０（以下、適宜「ハニカムパネル２０」と略す）により構成されている。このハニカムパネル２０は、基材であるハニカムコア２１の両面に表面材であるスキン材２２を貼り合わせたサンドイッチ構造を有している。また、ハニカムパネル２０には、内部のハニカムコア２１に連通する浸水排気用開口部２５Ａ，２５Ｂが設けられている。なお、実際のハニカムパネル２０は、フェアリング片１１０の具体的な形状（すなわちペイロードフェアリングの具体的な形状）に応じて湾曲構造等を含んでいる（図３または図４参照）が、図２（Ａ）では、ハニカムパネル２０の構成を説明する便宜上、平板状に模式化している。
【００３１】
図２（Ａ）に示す模式的な構成のハニカムパネル２０では、複数枚（図２（Ａ）では３枚）のハニカムコア２１が接合されて単一の基材を構成しており、複数枚（図２（Ａ）の表面の例では２枚）のスキン材２２が接続されて単一の表面材を構成している。言い換えれば、ハニカムパネル２０は、複数枚のスキン材２２により構成される両面層の間に、複数枚のハニカムコア２１により構成される基材が挟持されている。
【００３２】
ハニカムパネル２０のパネル端部２６には、分離機構ハウジング３１が取り付けられている。後述するように、パネル端部２６および分離機構ハウジング３１によりフェアリング片結合部１１１が構成される。分離機構ハウジング３１は、フェアリング片１１０同士を分離可能に結合する分離機構をフェアリング片結合部１１１に取り付けるための構成部材であり、図示しないボルト等のファスナ部材によりパネル端部２６に取り付けられている。
【００３３】
ハニカムパネル２０においては、ハニカムコア２１同士が接続された部位がコアスプライス部２３であり、スキン材２２同士が接続された部位がスキンスプライス部２４である。コアスプライス部２３は、ハニカムコア２１の端面同士を接着剤により接合することにより構成される。また、スキンスプライス部２４は、例えば図２（Ａ）に示すように、複数のスキン材２２の縁同士を、当該スキン材２２と同等の材料を重ねて接着剤または締結部材（ボルト等）で接合したり、あるいは、図示しないが、スキン材２２の端部同士を直接重ねて接合したりすることにより構成される。なお、コアスプライス部２３およびスキンスプライス部２４の具体的な構成は特に限定されず、宇宙機の分野で公知の手法または材料を用いて構成されればよい。
【００３４】
ハニカムコア２１は、例えば、図２（Ｂ）に示すように、所定の断面形状を有する中空セル２１１を平面状に複数並列した構成を有している。図２（Ｂ）に示す構成では、中空セル２１１は中空の断面形状が六角形である六角コアとなっている。また、中空セル２１１には、隣接する中空セル２１１同士を互いに連通する連通部として、例えばスロット２１０が設けられている。これにより、ハニカムコア２１を構成する多数の中空セル２１１は全体的に連通していることになる。
【００３５】
なお、ハニカムコア２１の具体的な構成は特に限定されず、公知の断面形状を有する中空セル２１１を備える構成であればよい。具体的な中空セル２１１としては、例えば、図２（Ｂ）に示すような六角コア、中空の断面形状がＴ字状であるフレキシブルコア（登録商標）、中空の断面形状が、六角形断面を一方向に延伸させたような断面であるＯＸコア（登録商標）、中空の断面形状が略星形のような断面であるダブルフレキシブルコア（登録商標）等を挙げることができる。
【００３６】
浸水排気用開口部２５Ａ，２５Ｂは、前述したように、ハニカムパネル２０の内部のハニカムコア２１に連通する開口部であり、フェアリング片１１０の内面側またはハニカムパネル２０の側面に形成される。浸水排気用開口部２５Ａ，２５Ｂは、ハニカムコア２１の中空セル２１１を露出させるように構成されており、例えば、図２（Ｂ）に示すように、浸水排気用開口部２５Ａは、スキン材２２の一部を例えば円形に切り欠いて構成され、浸水排気用開口部２５Ｂは、図２（Ａ）に示すように、分離機構ハウジング３１等の枠体に設けられている。なお、浸水排気用開口部２５Ａ，２５Ｂの具体的な構成については後に詳述する。また、本実施の形態では、後述するように、浸水排気用開口部２５Ｂはボルト孔３５を兼ねている。
【００３７】
［フェアリング片］
次に、衛星フェアリング１０Ａ〜１０Ｃを構成するフェアリング片１１０の具体的な構成の一例について、図３〜図５（Ａ）を参照して説明する。
【００３８】
フェアリング片１１０としては、例えば、図３に示すように、１枚のハニカムパネル２０Ａにより構成されたものを挙げることができる。言い換えれば、図３に示す構成では、１枚のハニカムパネル２０Ａが１個のフェアリング片１１０となっている。ハニカムパネル２０Ａは、合計２０枚のハニカムコア２１により構成されており、フェアリング片１１０の長手方向（縦方向）に１０枚のハニカムコア２１が接合され、周方向（横方向）に２枚ずつハニカムコア２１が接合されている。なお、図３では、コアスプライス部２３を破線で図示している。
【００３９】
また、他のフェアリング片１１０の構成例としては、図４に示すように、複数枚（例えば３枚）のハニカムパネル２０Ｂ〜２０Ｄにより構成されたものを挙げることができる。図４に示すフェアリング片１１０は、基本的には図３に示すフェアリング片１１０と同様に、２０枚のハニカムコア２１で構成されているが、これらハニカムコア２１は、３枚のハニカムパネル２０Ｂ〜２０Ｄを構成するように接合され、これらハニカムパネル２０Ｂ〜２０Ｄは、パネル結合フレーム１６により互いに結合されている。言い換えれば、図４に示す構成では、３枚のハニカムパネル２０Ｂ〜２０Ｄがパネル結合フレーム１６を介して結合されることにより１個のフェアリング片１１０が構成されている。
【００４０】
図４に示すように、ハニカムパネル２０Ｂ〜２０Ｄは、フェアリング片１１０の長手方向（縦方向）に沿って並列しており、ハニカムパネル２０Ｂおよびハニカムパネル２０Ｃがパネル結合フレーム１６に結合され、ハニカムパネル２０Ｃおよびハニカムパネル２０Ｄがパネル結合フレーム１６によって結合されている。
【００４１】
ハニカムパネル２０Ｂは、フェアリング片１１０の先端側であるノーズコーン部１２を構成し、図４に示す例では、８枚のハニカムコア２１を接合することにより構成されている。ハニカムパネル２０Ｃは、フェアリング片１１０の胴部であるシリンダ部１３の大部分を構成し、図４に示す例では、８枚のハニカムコア２１を接合することにより構成されている。ハニカムパネル２０Ｄは、フェアリング片１１０のシリンダ部１３の後端側（ロケットに結合される側）を構成し、図４に示す例では、４枚のハニカムコア２１を接合することにより構成されている。
【００４２】
ハニカムパネル２０Ｂ〜２０Ｄのいずれも、ハニカムコア２１が周方向に２枚ずつ接合されている。したがって、ハニカムパネル２０Ｂおよびハニカムパネル２０Ｃは、長手方向にはハニカムコア２１が４枚接合され、ハニカムパネル２０Ｄは、長手方向にハニカムコア２１が２枚接合されている。なお、フェアリング片１１０の構成は図３または図４に示す構成に限定されず、例えば、長手方向も周方向もペイロードである人工衛星４０Ａ，４０Ｂの大きさに合わせてハニカムコア２１の枚数を設定することができる。また、図４に示すように複数枚のハニカムパネル２０でフェアリング片１１０が構成される場合も、３枚に限定されず４枚以上であってもよいし、２枚であってもよい。
【００４３】
パネル結合フレーム１６は、ハニカムパネル２０Ｂ〜２０Ｄの縁部に取り付けられている。図５（Ａ）に示すように、パネル結合フレーム１６同士は、例えばファスナ部材１６２を介して連結される。これにより、ハニカムパネル２０Ｂ〜２０Ｄを互いに結合することができる。図５（Ａ）に示す構成例では、ハニカムパネル２０のパネル縁部２０ａに対して、当該縁部の外側を覆うようにパネル結合フレーム１６が取り付けられ、パネル結合フレーム１６およびパネル縁部２０ａを貫通するようにファスナ部材１６１が挿入されている。これにより、パネル縁部２０ａにパネル結合フレーム１６が固定される。
【００４４】
なお、ハニカムパネル２０の部位のうち、フェアリング片結合部１１１を構成する部位、すなわち他のフェアリング片１１０を構成するハニカムパネル２０と結合する部位を、パネル端部２６と称する。これに対して、図４に示すように、フェアリング片１１０が複数のハニカムパネル２０で構成されている場合に、ハニカムパネル２０同士を結合する部位を、前記の通り、パネル縁部２０ａと称するものとする。
【００４５】
ここで、図５（Ａ）に示す構成例では、パネル縁部２０ａはパネル結合フレーム１６の内部を埋めるように奥まで挿入されておらず、パネル結合フレーム１６の内部には、フレーム内空間１６３が生じている。しかしながら、パネル結合フレーム１６の取付け構成はこれに限定されない。例えば、フレーム内空間１６３が生じないようにパネル縁部２０ａがパネル結合フレーム１６の奥まで挿入された状態で、ファスナ部材１６１でパネル結合フレーム１６が固定されてもよい。
【００４６】
また、ハニカムパネル２０同士を結合する際には、それぞれのハニカムパネル２０の側面（パネル縁部２０ａの周面）同士を突き合わせて連結することになる。パネル縁部２０ａにはパネル結合フレーム１６が設けられているので、ハニカムパネル２０の側面はパネル結合フレーム１６で覆われていることになる。それゆえ、図５（Ａ）に示すように、パネル結合フレーム１６の外面（ハニカムパネル２０の側面に対応）同士を突き合わせて、外面同士を貫通するようにファスナ部材１６２を挿入する。これにより、パネル結合フレーム１６を介してハニカムパネル２０同士を結合することができる。
【００４７】
なお、ファスナ部材１６１，１６２の具体的な構成は特に限定されず、公知のものを好適に用いることができる。また、パネル結合フレーム１６をハニカムパネル２０に固定する構成も、ファスナ部材１６１をハニカムパネル２０の厚み方向に貫通させる構成に限定されず、公知のさまざまな固定構成を採用することができる。同様に、パネル結合フレーム１６同士を結合する構成も、ファスナ部材１６２を貫通させる構成に限定されず、公知のさまざまな結合構成を採用することができる。
【００４８】
フェアリング片１１０は、前述したように、他のフェアリング片１１０と結合して衛星フェアリング１０Ａ〜１０Ｃを構成する。また、衛星フェアリング１０Ａ〜１０Ｃはロケットの先端部に取り付けられる。そのため、図３または図４に示すように、フェアリング片１１０は、他のフェアリング片１１０と結合するためのフェアリング片結合部１１１と、ロケットに結合するためのロケット結合部１１２とを有している。フェアリング片結合部１１１およびロケット結合部１１２は、いずれも図３または図４には図示しない分離機構を備えており、この分離機構を介して、他のフェアリング片１１０またはロケットの先端部に結合される。
【００４９】
前術したように、フェアリング片１１０は、１枚または複数枚のハニカムパネル２０により構成される。それゆえ、フェアリング片結合部１１１またはロケット結合部１１２における分離機構の取付け部位は、ハニカムパネル２０のパネル側面の一部となり得る。また、図３または図４に示すように、ハニカムパネル２０Ａ〜２０Ｄには、フェアリング片１１０の内面となる位置に浸水排気用開口部２５Ａが設けられているとともに、フェアリング片結合部１１１に浸水排気用開口部２５Ｂが設けられている。
【００５０】
［浸水排気用開口部］
次に、フェアリング片１１０に設けられる浸水排気用開口部２５Ａ，２５Ｂについて、図２（Ａ）〜図５（Ａ）に加えて、図５（Ｂ）、図６を参照して具体的に説明する。
【００５１】
前記の通り、フェアリング片１１０は１枚または複数枚のハニカムパネル２０により構成されており、ハニカムパネル２０は、複数枚のハニカムコア２１を接合したものを基材として構成される。そして、それぞれのハニカムコア２１には、フェアリング片１１０の内面またはフェアリング片結合部１１１となる位置に、当該ハニカムコア２１の内部に連通する浸水排気用開口部２５Ａ，２５Ｂが設けられている。
【００５２】
ハニカムコア２１には、前述したように、当該ハニカムコア２１を構成する複数の中空セル２１１同士を互いに連通するスロット（連通部）２１０が設けられる。それゆえ、スロット（連通部）２１０を介してハニカムコア２１の内部全体が連通しているとともに、浸水排気用開口部２５Ａ，２５Ｂを介して、ハニカムコア２１の内部が外部に連通していることになる。また、ハニカムパネル２０は、前述したように、複数のハニカムコア２１がコアスプライス部２３を介して接合されたものであり、コアスプライス部２３は、ハニカムコア２１同士を接着剤層で接合することにより構成される。接着剤層には透水性がないため、浸水排気用開口部２５Ａ，２５Ｂは、コアスプライス部２３で分断されるそれぞれのハニカムコア２１に設けられることになる。
【００５３】
浸水排気用開口部２５Ａは、図２（Ａ）〜図４、図６に示すように、フェアリング片１１０の内面（すなわち衛星フェアリング１０Ａ〜１０Ｃの収納空間の内側となる面）に設けられる。それゆえ、浸水排気用開口部２５Ａは「パネル内面開口部」と表現することができる。浸水排気用開口部２５Ａは、図２（Ｂ）に模式的に示すように、スキン材２２を切り欠いて形成されるが、これに限定されず、図５（Ｂ）に示すように、パネル結合フレーム１６に形成されてもよい。
【００５４】
ここで、例えば、浸水排気用開口部２５Ａの形成位置が、パネル結合フレーム１６とパネル縁部２０ａとが重なっている位置であれば（図５（Ａ）参照）、浸水排気用開口部２５Ａは、スキン材２２およびパネル結合フレーム１６の双方を切り欠いて形成されてもよい。また、浸水排気用開口部２５Ａの形成位置が、パネル結合フレーム１６のみ、すなわち、フレーム内空間１６３に対応する位置であれば（図５（Ａ）参照）、浸水排気用開口部２５Ａは、パネル結合フレーム１６のみを切り欠いて形成されればよい。
【００５５】
浸水排気用開口部２５Ｂは、図２（Ａ）、図６に示すように、パネル端部２６に取り付けられる分離機構ハウジング３１に設けられる。パネル端部２６および分離機構ハウジング３１は、フェアリング片結合部１１１を構成しており（図６において点線で囲んだ領域を参照）、分離機構ハウジング３１が取り付けられるパネル端部２６は、ハニカムコア２１の中空セル２１１が露出する開放端となっている。それゆえ、分離機構ハウジング３１に浸水排気用開口部２５Ｂが形成されることにより、当該浸水排気用開口部２５Ｂは中空セル２１１に連通することになる。なお、図２（Ａ）に模式的に示すように、分離機構ハウジング３１は、ハニカムパネル２０においてパネル側面を構成している。それゆえ、浸水排気用開口部２５Ｂは「パネル側面開口部」と表現することができる。
【００５６】
浸水排気用開口部２５Ａ，２５Ｂの具体的な構成は特に限定されない。例えば、図２（Ａ）〜図６に示すように、浸水排気用開口部２５Ａ，２５Ｂの形状は円形であればよいが、もちろんこれに限定されず、矩形また五角形以上の多角形であってもよい。また、浸水排気用開口部２５Ａ，２５Ｂの形状または開口径（内径）は特に限定されない。浸水排気用開口部２５Ａ，２５Ｂは、後述するようにフェアリング片１１０が海上に着水したときに、当該フェアリング片１１０を構成するハニカムパネル２０の内部に海水を良好に導入することができる形状または開口径であればよい。
【００５７】
例えば、パネル内面に形成される浸水排気用開口部２５Ａについては、中空セル２１１の中空部分が一つ以上露出できる形状または開口径であれば好ましい。例えば図６に示す構成では、浸水排気用開口部２５Ａは、中空セル２１１の内面側の端部を露出するようにスキン材２２を切り欠いて形成される（図２（Ｂ）参照）。それゆえ、浸水排気用開口部２５Ａは、中空セル２１１の断面よりも大きな開口となっていれば、後述する海水の浸入または空気の排気が生じやすくなる。
【００５８】
また、パネル側面に形成される浸水排気用開口部２５Ｂについては、図６に示すように、分離機構ハウジング３１に設けられるボルト孔３５を利用することができる。具体的には、例えば、分離機構が作動すれば分離機構ハウジング３１のボルト孔３５が開放される。このとき、パネル端部２６は開放端であるため、中空セル２１１のスロット（連通部）２１０は露出するように開放されている。これにより、ハニカムコア２１のパネル端部２６がボルト孔３５を介して外気に通じることができる。それゆえ、分離機構ハウジング３１のボルト孔３５を浸水排気用開口部２５Ｂと利用可能となる。
【００５９】
これにより、パネル端部２６のボルト孔３５（浸水排気用開口部２５Ｂ）からスロット（連通部）２１０を介してハニカムコア２１内に海水を浸入させやすくすることができるとともに、スロット（連通部）２１０を介してハニカムコア２１内の空気を排気させることができる。なお、パネル端部２６において、ハニカムコア２１が露出している状態を良好に維持するために、分離機構ハウジング３１以外の公知の枠材等を取り付けてもよい。
【００６０】
浸水排気用開口部２５Ａ，２５Ｂの形成位置も特に限定されないが、それぞれのハニカムコア２１の内部に海水を浸入させるために、浸水排気用開口部２５Ａ，２５Ｂは、各ハニカムコア２１においてフェアリング片１１０の周方向および長手方向の端部となる位置に設けられていることが好ましい。これにより、ハニカムコア２１の四隅近傍が開放されることになり、ハニカムコア２１の多くの部分を良好に浸水させることができる。例えば、図６に示すように、浸水排気用開口部２５Ａ，２５Ｂは、ハニカムパネル２０を構成するハニカムコア２１において、周方向および長手方向の端部またはその近傍に形成されればよい。
【００６１】
図６に示す例では、ハニカムコア２１の周方向の一端に分離機構ハウジング３１が取り付けられるので、ハニカムコア２１の一端に浸水排気用開口部２５Ｂが設けられ、ハニカムコア２１の他端に浸水排気用開口部２５Ａが設けられている。あるいは、図示しないが、ハニカムコア２１の一端に隣接するパネル内面にも浸水排気用開口部２５Ａが設けられてもよい。さらに、図５（Ｂ）に模式的に示すように、浸水排気用開口部２５Ａは、パネル結合フレーム１６の一部を切り欠いて形成されてもよい。また、図２（Ａ）に模式的に示すように、ハニカムパネル２０が周方向に３枚以上のハニカムコア２１で構成される場合も、それぞれのハニカムコア２１について、周方向および長手方向の両端部近傍に浸水排気用開口部２５Ａ，２５Ｂが形成されればよい。
【００６２】
なお、ハニカムコア２１の内部を良好に浸水させることができれば、浸水排気用開口部２５Ａ，２５Ｂは、フェアリング片１１０の周方向の端部および長手方向の端部の少なくともいずれかに設けられていればよい。つまり、浸水排気用開口部２５Ａ，２５Ｂは、周方向の端部および長手方向の端部のいずれにも設けられていることが好ましいが、ハニカムコア２１の内部に海水を良好に導入できるのであれば、周方向の端部のみに設けられてもよいし、長手方向の端部のみに設けられてもよい。
【００６３】
また、浸水排気用開口部２５Ａ，２５Ｂは、ペイロードフェアリングの収納空間を外部から隔離する観点から、前述したように、フェアリング片１１０の内面であるか、フェアリング片結合部１１１に設けられればよい。
【００６４】
フェアリング片１１０の内面はペイロードである人工衛星４０Ａ，４０Ｂを収納する収納空間を確定する面となっているが、フェアリング片１１０の外面は、外気または宇宙空間に曝される面である。そのため、収納空間を外気または宇宙空間から隔離する観点から、フェアリング片１１０の内面に浸水排気用開口部２５Ａが形成される。また、フェアリング片１１０同士が分離機構により結合して衛星フェアリング１０Ａ〜１０Ｃを構成している場合には、それぞれのフェアリング片１１０は、フェアリング片結合部１１１同士を突き合わせて結合している状態にある。そのため、フェアリング片結合部１１１となる位置に浸水排気用開口部２５Ｂを設けることで、収納空間の隔離に影響を及ぼすおそれを回避することができる。
【００６５】
なお、フェアリング片１１０の内面における浸水排気用開口部２５Ａの形成位置は特に限定されないが、図３または図４において一点鎖線で示す部位１１３に対応する位置に設けられていればよい。この部位１１３は、フェアリング片１１０の内側における周方向の中央部分であって長手方向に広がる領域となっているので、便宜上、この部位１１３を「内面中央部１１３」と称する。フェアリング片１１０の周方向（横方向）の断面すなわち横断面の形状は略円弧状となっているが、内面中央部１１３は、フェアリング片１１０の横断面における凸部または凹部の頂点に対応する領域となる。
【００６６】
ここで、内面中央部１１３の具体的な範囲（内面中央部１１３の幅）については特に限定されず、少なくとも凹部または凸部の頂点近傍であって、少なくとも２個の浸水排気用開口部２５Ａを設けることができる程度の幅であればよい。図３または図４に示す例では、フェアリング片１１０の周方向が２枚のハニカムコア２１で構成されているが、この場合、凹部または凸部の頂点近傍は、各ハニカムコア２１の端面同士を突き合わせて接合した位置に相当する。浸水排気用開口部２５Ａは、この頂点近傍となる端部（一方の端部）にそれぞれ設けられている。それゆえ、この例では、内面中央部１１３は、少なくとも周方向に２個の浸水排気用開口部２５Ａを設けられる程度の幅であればよい。
【００６７】
また、図示しないが、フェアリング片１１０の周方向が１枚のハニカムコア２１で構成されていたり、３枚以上のハニカムコア２１で構成されていたりすれば、フェアリング片１１０の頂点近傍となる位置に少なくとも周方向に１個の浸水排気用開口部２５Ａを設け、ハニカムコア２１の周方向の両端部にそれぞれ浸水排気用開口部２５Ａを設ける構成を採用することができる。また、図３または図４に示す例であっても、互いに突き合わせて接合される２枚のハニカムコア２１の端面同士を連通させておけば、頂点近傍に浸水排気用開口部２５Ａを１個のみ設けることもできる。これらの場合は、内面中央部１１３の幅は、少なくとも周方向に１個の浸水排気用開口部２５Ａが設けられる程度の幅であればよい。
【００６８】
したがって、内面中央部１１３の幅の下限は、周方向に１〜２個の浸水排気用開口部２５Ａを設けることができる程度であればよい。一方、内面中央部１１３の幅の上限については、頂点を含み、フェアリング片１１０の周方向長さの１／４〜１／３程度となる幅であればよい。内面中央部１１３の幅がこの程度の範囲内であれば、頂点近傍と見なすことができる位置に浸水排気用開口部２５Ａを設けることができる。
【００６９】
このように、フェアリング片１１０を基準としたときには、浸水排気用開口部２５Ａは、ハニカムコア２１における内面中央部１１３（フェアリング片１１０の内側であって周方向の中央部）に相当する位置に設けられていることが好ましい。ただし、フェアリング片１１０における浸水排気用開口部２５Ａが設けられる部位は、内面中央部１１３に限定されない。例えば、フェアリング片１１０において内面中央部１１３とともに他の部位に浸水排気用開口部２５Ａが設けられてもよいし、内面中央部１１３以外の部位に浸水排気用開口部２５Ａが設けられてもよい。
【００７０】
浸水排気用開口部２５Ａ，２５Ｂには、前記の通りハニカムコア２１が露出しており、このハニカムコア２１を構成する中空セル２１１には、前記の通りスロット（連通部）２１０が設けられる。このスロット（連通部）２１０は、隣接する中空セル２１１同士を連通し、中空セル２１１内に海水を導入でき、中空セル２１１内の空気を排出できるものであればよく、その形成位置、形状、またはサイズ等については特に限定されない。ただし、スロット（連通部）２１０は中空セル２１１内において海水の流れが蛇行するような位置に形成されることが好ましい。
【００７１】
例えば、図２（Ｂ）に示すような六角形断面の中空セル２１１では、六角筒を構成する三対の対向面のうち全ての対向面にスロット（連通部）２１０を形成するのではなく、二対の対向面にそれぞれスロット（連通部）２１０を形成する構成を挙げることができる。一対の対向面のみにスロット（連通部）２１０を形成すると、浸水排気用開口部２５Ａ，２５Ｂから導入された海水は、対向面のスロット（連通部）２１０を直線状に流れるだけで蛇行しない。それゆえ、少なくとも二対の対向面にスロット（連通部）２１０を形成すれば、中空セル２１１内に流れ込む海水をできるだけ蛇行させるようにすることができる。
【００７２】
なお、中空セル２１１同士は、公知の連通部により互いに連通していればよく、連通部の構成は、図２（Ｂ）に示すようなスロット２１０のみに限定されない。例えば、図示しないが、中空セル２１１には、連通部として、スロット２１０ではなくドリル孔が形成されてもよい。ドリル孔の形成方法または形成位置等の諸条件は特に限定されず、例えば、公知のドリル装置を用いて好適な箇所にドリル孔を形成すればよい。
【００７３】
［フェアリング片の水没］
次に、フェアリング片１１０の水没について、図３および図４を参照して具体的に説明する。衛星フェアリング１０Ａ〜１０Ｃは、打上げロケットにより目的の高度および軌道を目指して移送される。この途中で、人工衛星４０Ａまたは４０Ｂを露出させるために衛星フェアリング１０Ａ〜１０Ｃは開頭分離してロケットの頭部から切り離される。切離されたフェアリング片１１０は例えば海上に落下する。例えば、図３または図４に示すように、フェアリング片１１０が内面を上側に向けた状態（収納空間を上方の大気に向けた状態、凹状態）で海面に着水すれば、ブロック矢印Ｃに示すように、ロケット結合部１１２側（後端側）からフェアリング片１１０の内部に海水が入り込む。
【００７４】
フェアリング片１１０の内面中央部１１３には、前記の通り複数の浸水排気用開口部２５Ａが設けられている。そのため、図３、図４および図６においてブロック矢印Ａに示すように、浸水排気用開口部２５Ａからハニカムコア２１内に海水が浸入する。ここで、１枚のハニカムコア２１では、周方向の一端となる部位、すなわちフェアリング片結合部１１１に浸水排気用開口部２５Ｂが設けられている一方、周方向の他端となる部位には内面中央部１１３に浸水排気用開口部２５Ａが設けられている。フェアリング片結合部１１１は、図６に示すように、開放端であるパネル端部２６と、このパネル端部２６に取り付けられる分離機構ハウジング３１とで構成されており、浸水排気用開口部２５Ｂは、分離機構ハウジング３１に形成されている。
【００７５】
前述したように、ハニカムコア２１を構成する複数の中空セル２１１は、互いにスロット（連通部）２１０で連通している。それゆえ、浸水排気用開口部２５Ａから浸入した海水は、スロット（連通部）２１０を介して周方向の他端から中空セル２１１内を徐々に満たしていく。しかも、図３、図４および図６においてブロック矢印Ｂに示すように、開放端であるパネル端部２６を介して浸水排気用開口部２５Ｂからハニカムコア２１内の空気が排気（排出）される。それゆえ、中空セル２１１内では、海水に押し出されるように空気がスロット（連通部）２１０から排出され、最終的に周方向の一端に位置する浸水排気用開口部２５Ｂから排気されることになる。
【００７６】
一方、図示しないが、フェアリング片１１０が、図３または図４の状態とは逆の状態、すなわち、内面を下側に向けた状態（収納空間を下方の海面に向けた状態、凸状態）で海面に着水すれば、フェアリング片１１０のフェアリング片結合部１１１が海水中に浸ることになる。それゆえ、図３または図４に示す状態とは逆に、フェアリング片結合部１１１に設けられた浸水排気用開口部２５Ｂからハニカムコア２１内部に海水が浸入する。
【００７７】
前述したように、ハニカムコア２１を構成する複数の中空セル２１１にはスロット（連通部）２１０が設けられているので、スロット（連通部）２１０を介して周方向の一端から中空セル２１１内を徐々に海水で満たしていく。中空セル２１１が海水で満たされていくときにはスロット（連通部）２１０を介して中空セル２１１内の空気が排気される。そのため、ハニカムコア２１内の空気は、最終的に周方向の他端に位置する浸水排気用開口部２５Ａから排気されることになる。
【００７８】
このように、ハニカムパネル２０（フェアリング片１１０）に設けられる浸水排気用開口部２５Ａ，２５Ｂは、ハニカムパネル２０を構成するハニカムコア２１に連通している。そのため、フェアリング片１１０が凹状態で海面に着水しても凸状態で海面に着水しても、これら浸水排気用開口部２５Ａ，２５Ｂによりハニカムコア２１の内部を空気から海水に良好に置換することができる。その結果、海上に着水したフェアリング片１１０を円滑に水没させることができる。
【００７９】
［防塵フィルタ］
ここで、本実施の形態では、図７に示すように、フェアリング片１１０の内面に位置する浸水排気用開口部２５Ａに防塵フィルタ３４１が設けられている。この防塵フィルタ３４１に関して、図７に加えて、図８（Ａ），（Ｂ）、図９および図１０を参照して具体的に説明する。
【００８０】
図７に示すように、浸水排気用開口部２５Ａには、固定部材であるダブラ３４２により防塵フィルタ３４１が固定されている。図７に示す構成では、浸水排気用開口部２５Ａの周囲にフィルタ用接着剤３４３を介して防塵フィルタ３４１を貼り付け、さらに防塵フィルタ３４１の周囲（浸水排気用開口部２５Ａを被覆する領域以外の領域）にフィルタ用接着剤３４３を介してダブラ３４２が貼り付けられている。なお、このように防塵フィルタ３４１を浸水排気用開口部２５Ａに取り付ける構成をフィルタ取付部３４Ａと称する。防塵フィルタ３４１は、ハニカムコア２１内部の微小粒子が浸水排気用開口部２５Ａから収納空間に噴出することを防止するために設けられる。
【００８１】
フェアリング片１１０には、収納される人工衛星４０Ａ，４０Ｂに応じた固有の位置にサービスドアを設置する必要がある。そのため、このようなサービスドアを設置する際には、ドリル等の切削工具によりスキン材２２およびハニカムコア２１等を切削することになる。また、浸水排気用開口部２５Ａを形成するときも同様にスキン材２２およびハニカムコア２１等を切削することになる。それゆえ、切削時に発生した切粉がハニカムコア２１内に残留するおそれがある。
【００８２】
衛星フェアリング１０Ａ〜１０Ｃをロケットにより打ち上げた後には、衛星フェアリング１０Ａ〜１０Ｃは低圧環境下に曝される。それゆえ、ハニカムコア２１の内部の空気は膨張する。そのため、ハニカムコア２１に連通するように、フェアリング片１１０の内面に浸水排気用開口部２５Ａが設けられると、例えば、図８（Ｂ）において黒のブロック矢印Ｅ２で模式的に示すように、膨張した空気とともに塵埃または切粉等が収納空間に噴出するおそれがある。
【００８３】
収納空間は人工衛星４０Ａ，４０Ｂを収納するための領域であり、人工衛星４０Ａ，４０Ｂには、高精度の観測機器等が搭載されることが多い。このような観測機器は微小粒子の存在下では正常に動作しないおそれがある。それゆえ、収納空間内では高い清浄度が要求され、収納空間が切粉または塵埃等の微小粒子により汚染（コンタミネーション）されることは回避されるべきである。
【００８４】
ハニカムコア２１内に微小粒子がコンタミ源として残留しないように、特別な加工方法または養生工程を採用することが想定される。しかしながら、このような加工方法または養生工程の採用はハニカムパネル２０の製造工程（並びに、ハニカムパネル２０で構成されるフェアリング片１１０の製造工程）を煩雑化するとともにコストの増加にもつながる。そこで、本実施の形態では、浸水排気用開口部２５Ａ等の開口部に防塵フィルタ３４１を設けている。
【００８５】
これにより、図８（Ａ）において黒のブロック矢印Ｅ１で模式的に示すように、切粉または塵埃等の微小粒子は防塵フィルタ３４１によって外部に噴出することが妨げられる。また、特別な加工方法等を採用する必要がないので、製造工程の煩雑化またはコスト増加等を回避することができる。その結果、フェアリング片１１０をより効率的に製造することができる。
【００８６】
防塵フィルタ３４１の具体的な構成は特に限定されず、浸水排気用開口部２５Ａの機能を妨げないように、空気および水（海水）が透過可能な公知のフィルタ材料を好適に用いることができる。代表的には、防塵服（クリーンスーツ）等に用いられるポリエステル系繊維材料を挙げることができるが、特に限定されない。
【００８７】
また、防塵フィルタ３４１は水溶性繊維材料で構成されてもよい。浸水排気用開口部２５Ａは水（海水）を内部に導入するために設けられるが、衛星フェアリング１０Ａ〜１０Ｃの内部である収納空間は、高い清浄度が要求されるため水に曝されることがない。言い換えれば、フェアリング片１１０の内面が水に曝露するのは、分離したフェアリング片１１０が海上に落下して着水した後となる。それゆえ、水溶性繊維材料で防塵フィルタ３４１を構成することにより、浸水排気用開口部２５Ａを被覆する防塵フィルタ３４１が周囲の海水で溶解されて除去されることになる。その結果、浸水排気用開口部２５Ａからの海水の流入を良好に維持することができる。
【００８８】
なお、ここでいう水溶性繊維材料とは、繊維材料そのものが水に対して溶解性を有するものであってもよいし、繊維材料そのものは水に溶解しないが、水に接触することで、繊維としてのまとまりを失って水に分散するものであってもよい。前者の水溶性繊維材料としてはポリビニルアルコール等の親水性樹脂を挙げることができ、後者の水溶性繊維材料としては水溶紙等を挙げることができる。
【００８９】
防塵フィルタ３４１を固定するダブラ３４２の具体的な構成も特に限定されない。例えば、ダブラ３４２の材質としては、スキン材２２と同様のアルミニウムまたはその合金、アルミニウム以外の金属材料、公知の樹脂材料、並びに、複合材料等を挙げることができるが特に限定されない。また、ダブラ３４２の形状も特に限定されず、浸水排気用開口部２５Ａ等の開口部の形状に応じて、当該開口部の周囲で防塵フィルタ３４１を固定できるような枠状であればよい。浸水排気用開口部２５Ａのような円形の開口部であれば、ダブラ３４２も円環状の枠部材であればよい。
【００９０】
ダブラ３４２および防塵フィルタ３４１をスキン材２２に固定するフィルタ用接着剤３４３の具体的な構成も特に限定されない。フィルタ用接着剤３４３の材質としては、ダブラ３４２、防塵フィルタ３４１およびスキン材２２をそれぞれ貼り付け可能な公知の接着性材料（または接着性組成物）を好適に用いることができる。代表的には、エポキシ樹脂系またはシリコーン樹脂系等の熱硬化性接着性材料を好適に用いることができる。これらフィルタ用接着剤３４３の硬化方法も特に限定されず、ハニカムパネル２０の製造過程（あるいはフェアリング片１１０の製造過程）で他の部材とともに公知の温度条件（常温または加熱等）により硬化する方法（コキュア）であってもよいし、ハニカムパネル２０（あるいはフェアリング片１１０）を製造して浸水排気用開口部２５Ａを形成した後に防塵フィルタ３４１およびダブラ３４２を貼り付けてから加熱によりフィルタ用接着剤３４３を硬化させる方法であってもよい。
【００９１】
なお、スキン材２２に防塵フィルタ３４１を貼り付ける下層のフィルタ用接着剤３４３と、防塵フィルタ３４１にダブラ３４２を貼り付ける上層のフィルタ用接着剤３４３とは同じ種類であってもよいし、異なる種類であってもよい。例えば、下層のフィルタ用接着剤３４３としては、防塵フィルタ３４１とスキン材２２との接着に好適な接着性材料を選択し、上層のフィルタ用接着剤３４３としては、防塵フィルタ３４１とダブラ３４２との接着に好適な別の接着性材料を選択することができる。あるいは、加熱硬化を一括して行う観点から、下層および上層のフィルタ用接着剤３４３として同一の接着性材料を採用することができる。
【００９２】
また、防塵フィルタ３４１を浸水排気用開口部２５Ａに取り付ける構成は、図７（および図８（Ａ））に示すフィルタ取付部３４Ａのようなフィルタ用接着剤３４３を用いた構成に限定されない。例えば、図９に示すように、ブラインドリベット３４４等の締結部材を用いて機械的に取り付ける構成のフィルタ取付部３４Ｂであってもよい。フィルタ取付部３４Ｂでは、スキン材２２とダブラ３４２との間に防塵フィルタ３４１を挟み込んだ上で、ダブラ３４２の外側からブラインドリベット３４４を打鋲することにより防塵フィルタ３４１を機械的に取り付けている。
【００９３】
あるいは、図１０に示すように、面ファスナ３４５，３４６を用いて防塵フィルタ３４１を取り付ける構成のフィルタ取付部３４Ｃであってもよい。フィルタ取付部３４Ｃでは、一方の面ファスナ３４５に防塵フィルタ３４１を縫製し、他方の面ファスナ３４６を公知の手法（例えば接着剤等）で浸水排気用開口部２５Ａの周囲に固定し、面ファスナ３４５，３４６同士を密着させることにより、防塵フィルタ３４１を取り付けている。面ファスナ３４５，３４６の具体的な構成は特に限定されず、公知のものを好適に用いることができる。
【００９４】
図７、図９または図１０では、フィルタ取付部３４Ａ〜３４Ｃを取り付ける対象は、ハニカムパネル２０の表面材であるスキン材２２であるが、これに限定されない。例えば、図５（Ｂ）に示すように、浸水排気用開口部２５Ａは、スキン材２２ではなくパネル結合フレーム１６に形成される場合もある。このとき、パネル結合フレーム１６の材質等の条件に合わせて、好適な構成のフィルタ取付部３４Ａ〜３４Ｃ（または他の構成）を採用して、防塵フィルタ３４１を取り付けることができる。
【００９５】
また、フェアリング片１１０の構成によっては、スキン材２２およびパネル結合フレーム１６以外で、当該フェアリング片１１０の内面に位置する表面材等に浸水排気用開口部２５Ａ（または他の開口部）が形成されることもあり得る。この場合も、他の表面材または開口部の構成に合わせて、好適な構成のフィルタ取付部３４Ａ〜３４Ｃ（または他の構成）を採用して、防塵フィルタ３４１を取り付けることができる。
【００９６】
なお、図７、図９または図１０では、フィルタ取付部３４Ａ〜３４Ｃの構成を説明する便宜上、これらフィルタ取付部３４Ａ〜３４Ｃを分解図として図示している。例えば、図７では、防塵フィルタ３４１がダブラ３４２等によって取り付けられた状態ではなく、防塵フィルタ３４１、ダブラ３４２、フィルタ用接着剤３４３を図中ブロック矢印Ｄの方向に重ねて取り付けられることで、フィルタ取付部３４Ａが構成されることを模式的に図示している。図９に示すフィルタ取付部３４Ｂ、図１０に示すフィルタ取付部３４Ｃについても同様である。
【００９７】
また、本実施の形態では、フェアリング片１１０の内面（すなわち衛星フェアリング１０Ａ〜１０Ｃの収納空間の内側となる面）に設けられる開口部として、前述したように浸水排気用開口部２５Ａを例示している。しかしながら、開口部の構成が浸水排気用開口部２５Ａに限定されず、浸水排気用以外の用途で、フェアリング片１１０の内面に形成される他の開口部であってもよいことは言うまでもない。このような他の用途の開口部に対しても、図７、図９または図１０に示すフィルタ取付部３４Ａ〜３４Ｃのような構成を採用して、防塵フィルタ３４１を取り付けることができる。
【００９８】
また、本実施の形態では、浸水排気用開口部２５Ａ以外に、パネル端部２６に取り付けられる分離機構ハウジング３１に設けられる浸水排気用開口部２５Ｂも例示している（図２（Ａ）、図６参照）。このような浸水排気用開口部２５Ｂに対しても、図７、図９または図１０に示すフィルタ取付部３４Ａ〜３４Ｃのような構成を採用して、防塵フィルタ３４１を取り付けることができる。
【００９９】
なお、浸水排気用開口部２５Ｂが、図２（Ａ）または図６に示すように、分離機構ハウジング３１のボルト孔３５が浸水排気用開口部２５Ｂとして利用される場合には、ボルト孔３５に防塵フィルタ３４１を取り付けるのではなく、パネル端部２６に防塵フィルタ３４１を取り付ければよい。浸水排気用開口部２５Ｂが、ボルト孔３５として供用されずに、分離機構ハウジング３１に独立して設けられている場合には、浸水排気用開口部２５Ａと同様に防塵フィルタ３４１を取り付ければよい。
【０１００】
このように本発明に係るペイロードフェアリングは、複数枚のハニカムコアを接合したものを基材とするハニカムサンドイッチパネルにより構成されるフェアリング片を有し、ハニカムコアには、当該ハニカムコアを構成する複数の中空セル同士を互いに連通するスロットが設けられているとともに、少なくとも前記フェアリング片の内面となる位置に、当該ハニカムコアの内部に連通する開口部が設けられており、この開口部には、ハニカムコアの内部から微小粒子が前記収納空間に噴出することを妨げる防塵フィルタが設けられている。
【０１０１】
これにより、ペイロードフェアリングが打ち上げられて低圧環境下に曝されたときに、ハニカムコアの内面に設けられた開口部から、膨張した空気とともに切粉または塵埃等の微小粒子が収納空間に噴出して、収納空間内でコンタミ源となるおそれを、防塵フィルタによって妨げることができる。これにより、特別な加工方法等を採用することなくハニカムパネルおよびフェアリング片を製造することができる。それゆえ、フェアリング片をより効率的に製造することができるとともに、ペイロードフェアリングにおける収納空間内の清浄度を良好に保持することができる。
【０１０２】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【０１０３】
本発明は、人工衛星等のペイロードを収納するペイロードフェアリングの分野に広く好適に用いることができる。
【符号の説明】
【０１０４】
１０Ａ〜１０Ｃ    衛星フェアリング（ペイロードフェアリング）
１６    パネル結合フレーム
２０    ハニカムサンドイッチパネル（ハニカムパネル）
２０Ａ〜２０Ｄ    ハニカムサンドイッチパネル（ハニカムパネル）
２１    ハニカムコア
２２    スキン材
２５Ａ，２５Ｂ    浸水排気用開口部
３４Ａ〜３４Ｃ    フィルタ取付部
４０Ａ，４０Ｂ    人工衛星（ペイロード）
１１０    フェアリング片
１１０ａ，１１０ｂ    フェアリング片
１１１    フェアリング片結合部
１１２    ロケット結合部
１１３    内面中央部
２１０    スロット（連通部）
２１１    中空セル
３４１    防塵フィルタ
３４２    ダブラ
３４３    フィルタ用接着剤
３４４    ブラインドリベット（締結部材）
３４５，３４６    面ファスナ
【図１】
0006461782.tif 000002
【図２】
0006461782.tif 000003
【図３】
0006461782.tif 000004
【図４】
0006461782.tif 000005
【図５】
0006461782.tif 000006
【図６】
0006461782.tif 000007
【図７】
0006461782.tif 000008
【図８】
0006461782.tif 000009
【図９】
0006461782.tif 000010
【図１０】
0006461782.tif 000011